(57)【要約】  【課題】部品点数や組付工数の増加を抑止しつつ水の浸入を確実に防止する。  【解決手段】モータケース２の上端部に配置されたエンドキャップ６と、モータケース２の下端部に配置された隔離壁７と、隔離壁７に取り付けられてポンプ室１１を形成するポンプ室キャップ１２と、ポンプ室１１内に配置されたインペラ１３と、モータケース２内に回転自在に支持されてインペラ１３を回転するアーマチュアシャフト１５と、アーマチュアコイル１７にコネクタ３０とを備えたウオッシャポンプ１において、エンドキャップ６にコネクタ３０を周辺部に片寄せて斜めに突設し、コネクタ３０の底壁３０ａにモータケース２内外を連通させる呼吸孔３３を設ける。呼吸孔はウオッシャポンプの上端部に位置するコネクタに配置され、接続線やカプラで被覆されるので、巻き上げ水や洗水が呼吸孔に確実浸入するのを部品点数や組付工数を増加することなく確実に防止できる。  【選択図】図１
2008172941.tif 000002
【特許請求の範囲】
【請求項１】
モータケースと、
該モータケースの一端部に配置されたエンドキャップと、
前記モータケースの他端部に配置された隔離壁と、
該隔離壁に取付けられて前記モータケースの他端部を密閉してポンプ室を形成するポンプ室キャップと、
該ポンプ室内に配置されたインペラと、
前記モータケース内に取付けられたマグネットと、
前記エンドキャップと前記隔離壁とにより回転可能に支持されているとともに、前記インペラに結合されたアーマチュアシャフトと、
前記マグネットの内周部に配置されたアーマチュアと、
前記モータケース内に給電するコネクタと、を備えており、
前記コネクタには前記モータケース内外を連通させる呼吸孔が設けられているウオッシャポンプ。
【請求項２】
前記呼吸孔が高い位置に配置されていることを特徴とする請求項１に記載のウオッシャポンプ。
【請求項３】
前記コネクタは前記エンドキャップに位置し、一体成形されていることを特徴とする請求項１または２に記載のウオッシャポンプ。
【請求項４】
前記コネクタは斜めまたは横向きに設置されており、前記呼吸孔は前記コネクタの内部の下側に設けられていることを特徴とする請求項１、２または３に記載のウオッシャポンプ。
【請求項５】
前記呼吸孔は前記コネクタに接続される接続線およびカプラと接続することによって外気を連通させることを特徴とする請求項１、２、３または４に記載のウオッシャポンプ。
【請求項６】
前記ポンプ室の底面の周囲が溶着されていることを特徴とする請求項１、２、３、４または５に記載のウオッシャポンプ。
【発明の詳細な説明】
【技術分野】
【０００１】
本発明は、ウオッシャポンプに関し、例えば、自動車のウオッシャタンクに貯蔵してある洗浄液をウオッシャノズルに送給するのに利用して有効なものに関する。
【背景技術】
【０００２】
自動車のウオッシャタンクに貯蔵してある洗浄液をウオッシャノズルに送給するウオッシャポンプは、ポンプ部とこれを駆動するモータ部とが一体的に連結されており、アーマチュアを収容したモータケースには呼吸孔が設けられているのが、一般的である。
このようなウオッシャポンプにおいては、電源から電流が供給されると、アーマチュアが回転するとともに、アーマチュアの巻線を流れる電流により、巻線が発熱し、モータケース内の空気が温められて膨脹する。膨脹した空気は呼吸孔を通って排出される。
他方、ウオッシャポンプに供給されていた電流が遮断されると、モータケース内の温められた空気は収縮するため、呼吸孔を通って大気がモータケースの内部に吸入される。
また、アーマチュアに電流が供給され、モータケース内が高温になっている状態において、ウオッシャポンプに水がかかると、モータケースは水によって冷却されるため、モータケース内の空気は収縮する。この場合においても、呼吸孔を通って大気がモータケース内に導入される。
【０００３】
従来のこの種のウオッシャポンプとして、エンジンルームの地面に近い場所に設置され、呼吸孔の外側開口が下側に配置されているものがある。例えば、特許文献１参照。
【特許文献１】特開２０００−１３４８５８号公報
【発明の開示】
【発明が解決しようとする課題】
【０００４】
呼吸孔の外側開口が下側に配置されたウオッシャポンプにおいては、タイヤによる雨水の巻き上げや洗車機による高圧の洗浄水がかかった際に、その水が呼吸孔を通ってモータケース内に浸入する可能性があり、その場合、ウオッシャポンプが動かなくなることがあるという問題点があった。
そこで、呼吸孔にカバーやチューブを付設することにより、水の浸入を防止することが実施されている。
呼吸孔にカバーやチューブを付設したウオッシャポンプにおいては、水を浸入し難くすることができるものの部品点数や組付工数が増加するという問題点がある。
【０００５】
本発明の目的は、部品点数や組付工数の増加を抑止しつつ、水の浸入を確実に防止することができるウオッシャポンプを提供することにある。
【課題を解決するための手段】
【０００６】
前記した課題を解決するための手段のうち代表的なものは、次の通りである。
（１）モータケースと、
該モータケースの一端部に配置されたエンドキャップと、
前記モータケースの他端部に配置された隔離壁と、
該隔離壁に取付けられて前記モータケースの他端部を密閉してポンプ室を形成するポンプ室キャップと、
該ポンプ室内に配置されたインペラと、
前記モータケース内に取付けられたマグネットと、
前記エンドキャップと前記隔離壁とにより回転可能に支持されているとともに、前記インペラに結合されたアーマチュアシャフトと、
前記マグネットの内周部に配置されたアーマチュアと、
前記モータケース内に給電するコネクタと、を備えており、
前記コネクタには前記モータケース内外を連通させる呼吸孔が設けられているウオッシャポンプ。
（２）前記呼吸孔が高い位置に配置されていることを特徴とする前記（１）に記載のウオッシャポンプ。
（３）前記コネクタは前記エンドキャップに位置し、一体成形されていることを特徴とする前記（１）または（２）に記載のウオッシャポンプ。
（４）前記コネクタは斜めまたは横向きに設置されており、前記呼吸孔は前記コネクタの内部の下側に設けられていることを特徴とする前記（１）（２）または（３）に記載のウオッシャポンプ。
（５）前記呼吸孔は前記コネクタに接続される接続線およびカプラと接続することによって外気を連通させることを特徴とする前記（１）（２）（３）または（４）に記載のウオッシャポンプ。
（６）前記ポンプ室の底面の周囲が溶着されていることを特徴とする前記（１）（２）（３）（４）または（５）に記載のウオッシャポンプ。
【発明の効果】
【０００７】
前記（１）によれば、呼吸孔がコネクタに配置されているので、部品点数や組付工数の増加を回避することができるとともに、モータケースへの水の浸入を確実に防止することができる。
前記（２）によれば、水が掛かり難くなるために、水の浸入をより一層確実に防止することができる。
前記（３）によれば、部品点数や組付工数をより一層低減することができる。
前記（４）によれば、軸受部を避けて、呼吸孔をコネクタに設けることができる。
前記（５）によれば、接続線およびカプラによって呼吸孔の外側開口を被覆することができるので、水の浸入をより一層確実に防止することができる。
前記（６）によれば、ウオッシャポンプの強度を高めることができる。
【発明を実施するための最良の形態】
【０００８】
以下、本発明の一実施の形態を図面に即して説明する。
【０００９】
本実施の形態において、本発明に係るウオッシャポンプは、自動車のウオッシャポンプに適用するのに好適なものとして構成されている。
【００１０】
図１に示されているように、本実施の形態に係るウオッシャポンプ１はモータケース２を備えている。
モータケース２は機械的強度および絶縁性を有する樹脂が使用されて円筒形状にされており、中心線方向が図示しない車両の上下方向に向けて配置されるようになっている。
モータケース２の内側には円筒形状に形成されたヨーク３が同心円に配置されて固定されている。ヨーク３の内周面には第一マグネット４および第二マグネット５が対向して固定されている。
【００１１】
モータケース２の上端部には円板形状に形成されたエンドキャップ６が被せられて固定されている。モータケース２の下端部には隔離壁７が一体的に形成されている。
エンドキャップ６の中央部には第一軸受８が固定されており、隔離壁７の中央部には第二軸受９が固定されている。第二軸受９の第一軸受８と反対側にはシール部材１０が隣接して配置されている。
【００１２】
隔離壁７にはポンプ室１１が形成されている。すなわち、隔離壁７にはポンプ室天井壁１１ａ、ポンプ室側壁１１ｂがそれぞれ形成されており、ポンプ室底壁１１ｃはポンプ室天井壁１１ａの対向面に被着された略円盤形状のポンプ室キャップ１２によって形成されている。
隔離壁７の側面の一部にはウオッシャタンク接続部７ａが突設されており、ウオッシャタンク接続部７ａには洗浄液吸入路７ｂが形成されている。洗浄液吸入路７ｂはポンプ室天井壁１１ａに開設された洗浄液吸入口１１ｄに流体的に接続されている。
隔離壁７の側面の他の部位には洗浄液吐出部７ｃが突設されており、洗浄液吐出部７ｃにはウオッシャノズルに流体的に接続される洗浄液吐出路７ｄが形成されている。洗浄液吐出路７ｄの内側端はポンプ室側壁１１ｂに開設された洗浄液吐出口１１ｅに流体的に接続されている。
【００１３】
モータケース２の円筒内周すなわち隔離壁７のポンプ室側壁１１ｂ内周と、ポンプ室キャップ１２の外周との合わせ面は、溶着されることによって完全に閉塞されている。これにより、ポンプ室１１を完全にシールすることができるとともに、ウオッシャポンプ１の強度を高めることができる。
【００１４】
ポンプ室１１内にはインペラ１３が回転可能に配置されており、インペラ１３はアーマチュア１４のシャフト（以下、アーマチュアシャフトという。）１５の下端部１５ａに固定されて回転されるようになっている。
アーマチュアシャフト１５はモータケース２の中心線上に配置されており、第一軸受８および第二軸受９によって回転自在に支持されている。
アーマチュアシャフト１５の第二軸受９よりも下端部が洗浄液吸入口１１ｄを貫通してポンプ室１１内に挿入され、インペラ１３にキー結合されている。
アーマチュアシャフト１５の下端部周りは第二軸受９と洗浄液吸入路７ｂとの連通を遮断するように、シール部材１０によってシールされている。
【００１５】
ポンプ室１１においてアーマチュアシャフト１５の回転によりインペラ１３が回転すると、インペラ１３の回転によって内部に発生した負圧により、洗浄液吸入路７ｂから洗浄液吸入口１１ｄを介して洗浄液が導入され、洗浄液吐出口１１ｅから洗浄液吐出路７ｄを経由してウオッシャノズルに洗浄液が送給される。
【００１６】
アーマチュアシャフト１５の略中央部にはアーマチュア１４のコア（以下、アーマチュアコアという。）１６が固定されている。アーマチュアコア１６にはアーマチュア１４のコイル（以下、アーマチュアコイルという。）１７が巻回されている。
アーマチュアシャフト１５の第一軸受８側である上端部にはコンミュテータ１８が固定されている。コンミュテータ１８の各コンミュテータ片にはアーマチュアコイル１７が電気的に接続されている。
【００１７】
図１および図２に示されているように、コンミュテータ１８の外周には第一ブラシ１９および第二ブラシ２０が摺接されている。第一ブラシ１９は第一ブラシホルダ２１に取り付けられており、第二ブラシ２０は第二ブラシホルダ２２に取り付けられている。第一ブラシ１９および第二ブラシ２０は第一ブラシスプリング２３および第二ブラシスプリング２４の弾性反発力により、コンミュテータ１８のコンミュテータ片にそれぞれ電気的に接続可能に押接されている。
【００１８】
図１に示されているように、エンドキャップ６は絶縁性を有する樹脂が使用されて円板形状に形成されており、エンドキャップ６にはコネクタ３０が一体成形されている。
図３に示されているように、コネクタ３０内には第一ターミナル３１および第二ターミナル３２が配置されている。図示されていないが、第一ターミナル３１は第一ブラシホルダ２１に電気的に接続され、第二ターミナル３２は第二ブラシホルダ２２に電気的に接続されている。
図１に示されているように、コネクタ３０にはカプラ４０が装着されるようになっている。カプラ４０には第一接続線４１および第二接続線４２が保護チューブ４３によって束ねられて保持されており、第一接続線４１および第二接続線４２はジョイント（図示せず）を介して第一ターミナル３１および第二ターミナル３２に電気的に接続されるようになっている。
すなわち、コネクタ３０はカプラ４０が装着されることにより、第一ターミナル３１および第二ターミナル３２を外部のウオッシャ制御回路（図示せず）に電気的に接続させるように構成されている。
【００１９】
アーマチュア１４はウオッシャ制御回路に備えられたウオッシャスイッチ（図示せず）がオン切換えされると、第一ターミナル３１が電源に接続され、第二ターミナル３２が接地に接続されることによって、第一ブラシホルダ２１、第一ブラシ１９、コンミュテータ１８のコンミュテータ片、アーマチュアコイル１７、コンミュテータ１８のコンミュテータ片、第二ブラシ２０、第二ブラシホルダ２２に電源の電流が供給され、アーマチュアシャフト１５が回転する。
【００２０】
図１および図３に示されているように、コネクタ３０は略正方形の四角筒形状に形成されており、エンドキャップ６上面の周辺部に片寄せられて配置されるとともに、斜めに突設されている。
コネクタ３０の底壁３０ａにおけるエンドキャップ６の周辺部の部位には、呼吸孔３３がモータケース２内外を連通させるように開設されている。呼吸孔３３はコネクタ３０に配置されているので、ウオッシャポンプ１の高い位置に配置されていることになる。
また、呼吸孔３３はエンドキャップ６上面の周辺部に片寄せられて配置されたコネクタ３０の底部における周辺部に配置されているので、第一軸受８を避けてコネクタ３０に配置されている状態になっている。
さらに、呼吸孔３３はコネクタ３０の底壁に配置されているので、コネクタ３０とカプラ４０とを接続することによりモータケース２内外をコネクタ３０の中空部３０ｂ内と保護チューブ４３内の第一接続線４１および第二接続線４２の隙間とによって連通させた状態になっている。
【００２１】
以上の構成に係るウオッシャポンプ１は、ウオッシャタンク接続部７ａがウオッシャタンクに結合されることによって、洗浄液吸入路７ｂがウオッシャタンク内に流体的に接続されてウオッシャタンクに取り付けられ、洗浄液吐出部７ｃにウオッシャノズルに流体的に接続された送給管が結合され、コネクタ３０にウオッシャ制御回路のカプラ４０が接続されて車両に搭載される。
【００２２】
ウオッシャポンプ１はモータケース２の筒方向が自動車の上下方向に向けて車体に取り付けられるから、コネクタ３０が上側に配置され、ポンプ室キャップ１２が下側に配置された状態になる。したがって、呼吸孔３３はウオッシャポンプ１の高い位置に配置される状態になる。
【００２３】
ウオッシャ制御回路に備えられたウオッシャスイッチがオン切換えされると、アーマチュアコイル１７に電流が供給されてアーマチュアシャフト１５が回転し、インペラ１３が回転するため、インペラ１３の回転によりポンプ室１１内に発生した負圧により、洗浄液吸入路７ｂから洗浄液吸入口１１ｄを介して洗浄液が吸入され、インペラ１３の回転によって洗浄液吐出口１１ｅからウオッシャノズルに洗浄液が送給され、ウオッシャノズルから洗浄面に向け洗浄液が噴射される。
【００２４】
アーマチュア１４は回転することによって発熱し、アーマチュア１４が発熱することによって、モータケース２内の空気が加熱されて膨脹する。膨脹した空気は呼吸孔３３を抜けて、コネクタ３０の中空部３０ｂ内と保護チューブ３３の中空部内の第一接続線４１および第二接続線４２の隙間とを経由して排出されることにより、呼吸作用が行われ、モータケース２の内側が大気圧に調整される。
【００２５】
降雨の中を走行することによってタイヤにより生じた雨水の巻き上げや洗車機による高圧の洗浄水がウオッシャポンプ１にかかった際、呼吸孔３３はコネクタ３０によって完全に被覆されているので、水が呼吸孔３３に浸入することはない。
しかも、コネクタ３０にはカプラ４０が装着され、カプラ４０の第一接続線４１および第二接続線４２は保護チューブ４３によって被覆されているので、コネクタ３０の中空部３０ｂ内に水が浸入することもない。
【００２６】
前記実施の形態によれば、次の効果が得られる。
【００２７】
1)  モータケース内外を連通させる呼吸孔をコネクタに設けることにより、部品点数や組付工数の増加を抑止しつつ、モータケースへの水の浸入を防止することができる。
【００２８】
2)  呼吸孔をコネクタに配置することにより、コネクタをウオッシャポンプの高い位置に配置することができるので、水がより一層掛かり難くなり、水の浸入をより一層確実に防止することができる。
【００２９】
3)  コネクタをエンドキャップに一体的に成形することにより、部品点数や組付工数をより一層低減することができる。
【００３０】
4)  コネクタをエンドキャップ上面の周辺部に片寄せて斜めに突設するとともに、呼吸孔をコネクタ底部の周辺部に配置することにより、呼吸孔を第一軸受を避けてコネクタに配置することができるので、ウオッシャポンプを改造せずに済ますことができる。
【００３１】
5)  呼吸孔をコネクタの底部に配置することにより、カプラや接続線および保護チューブによって呼吸孔の外側開口を被覆することができるので、水の浸入をより一層確実に防止することができる。
【００３２】
6)  モータケースの円筒内周すなわち隔離壁のポンプ室側壁内周と、ポンプ室キャップの外周との合わせ面を溶着によって完全に閉塞することにより、ポンプ室を完全にシールすることができるとともに、ポンプ室の強度を高めることができる。
【００３３】
なお、本発明は前記実施の形態に限定されるものではなく、その要旨を逸脱しない範囲で種々に変更が可能であることはいうまでもない。
【００３４】
例えば、コネクタはエンドキャップ上面の周辺部に片寄せて斜めに突設するに限らず、横向きに突設してもよい。
【００３５】
コネクタはターミナルとカプラとの電気的接続構造に構成するに限らず、半田付けによる電気的接続構造等に構成してもよい。
【００３６】
カプラの保護チューブは省略してもよい。
【００３７】
前記実施の形態においては、自動車に搭載されるウオッシャポンプについて説明したが、本発明は鉄道車両のようなその他の車両や窓ガラスの払拭に使用されるウオッシャポンプ全般に適用することができる。
【図面の簡単な説明】
【００３８】
【図１】本発明の一実施の形態であるウオッシャポンプを示す正面断面図である。
【図２】コンミュテータ部分の底面断面図である。
【図３】コネクタ部分の平面図である。
【符号の説明】
【００３９】
１…ウオッシャポンプ、２…モータケース、３…ヨーク、４…第一マグネット、５…第二マグネット、６…エンドキャップ、７…隔離壁、７ａ…ウオッシャタンク接続部、７ｂ…洗浄液吸入路、７ｃ…洗浄液吐出部、７ｄ…洗浄液吐出路、８…第一軸受、９…第二軸受、１０…シール部材、１１…ポンプ室、１１ａ…ポンプ室天井壁、１１ｂ…ポンプ室側壁、１１ｃ…ポンプ室底壁、１１ｄ…洗浄液吸入口、１１ｅ…洗浄液吐出口、１２…ポンプ室キャップ、１３…インペラ、１４…アーマチュア、１５…シャフト（アーマチュアシャフト）、１５ａ…下端部、１６…コア（アーマチュアコア）、１７…コイル（アーマチュアコイル）、１８…コンミュテータ、１９…第一ブラシ、２０…第二ブラシ、２１…第一ブラシホルダ、２２…第二ブラシホルダ、２３…第一ブラシスプリング、２４…第二ブラシスプリング、３０…コネクタ、３０ａ…底壁、３１…第一ターミナル、３２…第二ターミナル、３３…呼吸孔、４０…カプラ、４１…第一接続線、４２…第二接続線、４３…保護チューブ。
【図１】
2008172941.tif 000003
【図２】
2008172941.tif 000004
【図３】
2008172941.tif 000005